(57)【要約】      （修正有）【課題】操作ボタンからの押圧力による回路基板の変形を防いで回路基板を安定的に固定できるようにする。【解決手段】回路基板の他端縁を操作パネル３に突設する第２の取付けボス部９Ａにねじ止めし、操作ボタン１５側に位置する回路基板４の一端縁を操作パネル３に突設する第２の取付けボス部９と、操作ボタン１５に一体形成する固定ボス部２５にねじ止めする。これにより、回路基板４の一端縁部に加わる操作ボタン１５からの押圧力を第２の取付けボス部９と、操作ボタン１５に一体形成する固定ボス部２５で支持し、回路基板４の反りや曲げなどの変形を防止する。【選択図】図１
0003121977.tif 000002
【実用新案登録請求の範囲】
【請求項１】
キャビネットの前面に操作パネルを設け、この操作パネルの背面側に操作ボタンと、スイッチを実装した回路基板とを固定するとともに、前記操作ボタンの一部を前記操作パネルから外部に突出させ、前記操作パネルの外方側から前記操作ボタンを操作して前記キャビネットの内側に配置したスイッチを押圧操作するように構成したキャビネットに操作部を備えた電子機器において、前記操作パネルの背面側に前記操作ボタンを固定する第１の取付けボス部と、前記回路基板を固定する第２の取付けボス部を形成するとともに、少なくとも前記スイッチ側に位置する前記回路基板の一端角部を固定するための固定ボス部を前記操作ボタンに一体形成したことを特徴とするキャビネットに操作部を備えた電子機器。
【請求項２】
前記操作ボタンが、前記第１の取付けボス部に固定する取付け部と、前記スイッチを押圧操作する平板矩形状の押圧板と、この押圧板の前面から突出して前記操作パネルの外部に露出する操作突部と、前記押圧板と前記取付け部とを連結するヒンジ部とで構成され、前記取付け部には前記第１の取付けボス部に螺着するためのねじの貫通孔を形成し、その貫通孔と近傍した取付け部の内縁から前記固定ボス部を内側に向かって一体形成するとともに、前記押圧板には前記固定ボス部を避ける切欠き凹部を形成したことを特徴とする請求項１記載のキャビネットに操作部を備えた電子機器。
【請求項３】
前記操作パネル又は前記取付け部の何れか一方に位置決めピンを形成するとともに、該操作パネル又は取付け部の何れか他方に前記位置決めピンと嵌合する位置決め孔を形成したことを特徴とする請求項１又は２記載のキャビネットに操作部を備えた電子機器。
【請求項４】
前記固定ボス部と第２の取付けボス部とが上下に間隔をおいて直線的に並設され、この固定ボス部と第２の取付けボス部によって前記回路基板のほぼ一端両角部をねじ止めすることによって、回路基板の一端外縁が前記操作ボタンの取付け部より外側に張り出すことなく、取付け部の内側に収まることを特徴とする請求項３記載のキャビネットに操作部を備えた電子機器。
【請求項５】
前記取付け部に前記回路基板の一部を位置決めする係止手段を一体形成したことを特徴とする請求項２〜４の何れか１項に記載のキャビネットに操作部を備えた電子機器。
【請求項６】
前記係止手段を、前記取付け部から突設した突出部と、この突出部の内側角部を切り欠いて回路基板の一端角部を位置決めする切欠き部と、回路基板の一端角部を支持する受け面とで構成したことを特徴とする請求項５記載のキャビネットに操作部を備えた電子機器。
【考案の詳細な説明】
【技術分野】
【０００１】
本考案は、キャビネットの操作パネルに操作ボタンを露出させて配置し、この操作ボタンを押圧操作してキャビネットの内側に配置したスイッチを操作するように構成したキャビネットに操作部を備えた電子機器、特に、操作ボタンの押圧力による回路基板の反りや曲がりなどの変形を効果的に抑制することが可能なキャビネットに操作部を備えた電子機器に関する。
【背景技術】
【０００２】
従来から各種電子機器（例えば、テレビ、ＤＶＤプレーヤ、ハードディスクレコーダ、電話、ＦＡＸ、コピー機、など）において、キャビネットの前面側に配置した操作パネルに操作ボタンを設け、この操作ボタンを押圧操作することによってキャビネットの内部に位置して操作ボタンの背面側に設けたスイッチを操作するものである。この種の操作ボタンを備えた電子機器は、前記操作ボタンで押圧操作されるスイッチが回路基板に実装され、この回路基板をキャビネットの内側に固定するものであり、例えば、特許文献１に示す電子機器の操作パネル装置においては、操作パネルの背面より後方へと延出するボス部を形成し、このボス部と対応する回路基板に挿通孔を形成し、この挿通孔を通したねじを前記ボスにネジを螺着して操作パネルの背面側に回路基板を固定している。一方、操作ボタンは、操作パネルの背面に固定するために筒状の取付け部と、前記操作パネルの背面側から操作パネルの表面側に突出する操作突部と、その操作突部と取付け部とを連結する薄肉状のヒンジ部とで構成され、筒状の取付け部を前記ボス部の先端側に形成する段差凹部に嵌合させて、その段差凹部とボス部に固定した回路基板とで取付け部を挟着することによって操作ボタンの取付け部と回路基板とを共締めしている。このように、操作ボタンの取付け部をボス部に固定することによって、操作突部の背面が回路基板に実装したスイッチと対向し、操作突部を押すことによりヒンジ部が撓んでスイッチが押圧操作される。
【０００３】
【特許文献１】特開平１１−１６７４５８号公報
【考案の開示】
【考案が解決しようとする課題】
【０００４】
前記電子機器の操作パネル装置のように、回路基板を操作パネルの背面側に突設するボス部にねじ止めする構造においては、必然的に操作ボタンと対応する部分には回路基板を固定するためのボス部を突設することができないから、操作ボタンを避けた位置、例えば、操作ボタンより外側にボス部を形成せざるを得ない。しかし、例えば操作ボタンが操作パネルの外端寄りに配置され、操作ボタンより外側にボス部を形成するスペース的な余裕が無い場合もある。この場合、特許文献１の図１で示すように、操作ボタンと対応する回路基板の外端縁が自由端となってしまうことから、操作ボタンから受ける押圧力によって回路基板の変形（反り、曲げや屈曲など）が生じ易く、最悪の場合回路基板が破損する危険性もある。
【０００５】
本考案は、上述した問題点に鑑みてなされたものであり、操作ボタンから受ける押圧力によって回路基板が変形することなく安定的に固定することができる操作ボタンを備えた電子機器とすることを第１の目的とする。また、操作ボタンの背面に操作回路基板を配設する際の位置決めを簡素な構造によって実現し、電子機器の製造時における組み付け作業性の改善を図ることを第２の目的とする。
【課題を解決するための手段】
【０００６】
本考案の請求項１に記載のキャビネットに操作部を備えた電子機器は、キャビネットの前面に操作パネルを設け、この操作パネルの背面側に操作ボタンと、スイッチを実装した回路基板とを固定するとともに、前記操作ボタンの一部を前記操作パネルから外部に突出させ、前記操作パネルの外方側から前記操作ボタンを操作して前記キャビネットの内側に配置したスイッチを押圧操作するように構成したキャビネットに操作部を備えた電子機器において、前記操作パネルの背面側に前記操作ボタンを固定する第１の取付けボス部と、前記回路基板を固定する第２の取付けボス部を形成するとともに、少なくとも前記スイッチ側に位置する前記回路基板の一端角部を固定するための固定ボス部を前記操作ボタンに一体形成したことを特徴とする。
【０００７】
請求項１の構成により、スイッチが実装された回路基板の一端縁が操作ボタンの固定ボス部と操作パネルに形成する第２の取付けボス部によって支持され、操作ボタンから受ける押圧力によって生じる回路基板の反り、曲がりなどの変形を抑制することが可能となる。
【０００８】
本考案の請求項２に記載のキャビネットに操作部を備えた電子機器は、請求項１記載のキャビネットに操作部を備えた電子機器において、前記操作ボタンが、前記第１の取付けボス部に固定する取付け部と、前記スイッチを押圧操作する平板矩形状の押圧板と、この押圧板の前面から突出して前記操作パネルの外部に露出する操作突部と、前記押圧板と前記取付け部とを連結するヒンジ部とで構成され、前記取付け部には前記第１の取付けボス部に螺着するためのねじの貫通孔を形成し、その貫通孔と近傍した取付け部の内縁から前記固定ボス部を内側に向かって一体形成するとともに、前記押圧板には前記固定ボス部を避ける切欠き凹部を形成したことを特徴とする。
【０００９】
請求項２の構成により、操作パネルから外部に突出した操作突部を押すと、ヒンジ部が弾性変形して押圧板によってスイッチが押圧される。これによりスイッチのＯＮ／ＯＦＦが切り換えられる。この時、操作突部から受ける押圧力を操作パネルに固定される操作ボタンの固定ボス部と操作パネルに形成する第２の取付けボス部によって支持することができる。
【００１０】
本考案の請求項３に記載のキャビネットに操作部を備えた電子機器は、請求項１又は２記載のキャビネットに操作部を備えた電子機器において、前記操作パネル又は前記取付け部の何れか一方に位置決めピンを形成するとともに、該操作パネル又は取付け部の何れか他方に前記位置決めピンと嵌合する位置決め孔を形成したことを特徴とする。
【００１１】
請求項３の構成により、操作パネルに形成した第１の取付けボス部に操作ボタンを固定する際、操作ボタンの取付け部又は操作パネルの何れかに形成する位置決めピンに他方の位置決め孔を嵌め入れることによって、操作パネルに対する操作ボタンの位置決めが成される。
【００１２】
本考案の請求項４に記載のキャビネットに操作部を備えた電子機器は、請求項３記載のキャビネットに操作部を備えた電子機器において、前記固定ボス部と第２の取付けボス部とが上下に間隔をおいて直線的に並設され、この固定ボス部と第２の取付けボス部によって前記回路基板の一端両角部をねじ止めすることによって、回路基板の一端外縁が前記操作ボタンの取付け部より外側に張り出すことなく、取付け部の内側に収まることを特徴とする。
【００１３】
請求項４の構成により、上下に対を成す操作パネルの第２の取付けボス部と操作ボタンに形成する固定ボス部に回路基板の一端両角部を固定することでスイッチを操作する際の押圧力よって生じる回路基板の変形を防止することが可能となる。また、回路基板の一端外縁が操作ボタンの取付けボス部より内側に収まるから、回路基板の外縁を取付け部より外側に延ばす必要もなくなる。
【００１４】
本考案の請求項５に記載のキャビネットに操作部を備えた電子機器は、請求項２〜４の何れか１項に記載のキャビネットに操作部を備えた電子機器において、前記取付け部に前記回路基板の一部を位置決めする係止手段を一体形成したことを特徴とする。
【００１５】
請求項５の構成により、操作パネルに固定した操作ボタンに回路基板を組み付ける際、係止手段によって操作ボタンに対する回路基板の位置決めが成される。
【００１６】
本考案の請求項６に記載のキャビネットに操作部を備えた電子機器は、請求項５記載のキャビネットに操作部を備えた電子機器において、前記係止手段を、前記取付け部から突設した突出部と、この突出部の内側角部を切り欠いて回路基板の一端角部を位置決めする切欠き部と、回路基板の一端角部を支持する受け面とで構成したことを特徴とする。
【００１７】
請求項６の構成により、操作パネルに固定した操作ボタンに回路基板を組み付ける際、回路基板の一端角部を操作ボタンに形成する突出部の切欠き部に合わせることによって、操作パネルの取付け部に対する回路基板の位置決めが成されるとともに、回路基板の一端角部が突出部の受け面で支持される。
【考案の効果】
【００１８】
本考案の請求項１に記載のキャビネットに操作部を備えた電子機器によれば、キャビネットの前面に操作パネルを設け、この操作パネルの背面側に操作ボタンと、スイッチを実装した回路基板とを固定するとともに、前記操作ボタンの一部を前記操作パネルから外部に突出させ、前記操作パネルの外方側から前記操作ボタンを操作して前記キャビネットの内側に配置したスイッチを押圧操作するように構成したキャビネットに操作部を備えた電子機器において、前記操作パネルの背面側に前記操作ボタンを固定する第１の取付けボス部と、前記回路基板を固定する第２の取付けボス部を形成するとともに、少なくとも前記スイッチ側に位置する前記回路基板の一端角部を固定するための固定ボス部を前記操作ボタンに一体形成したものであるから、スイッチが実装された回路基板の一端縁部を操作パネルに形成する第２の取付けボス部と、操作ボタンに形成する固定ボス部とで確実かつ安定的に固定することができ、操作ボタンから受ける押圧力によって生じる回路基板の反り曲げや屈曲などの変形を効果的に防止することができる。また、操作ボタンに回路基板を固定するための固定ボス部を一体形成することで、操作ボタンをコンパクトに一体化でき、組付け部品点数の削減並びに組み付け時の作業性を高めることができる。
【００１９】
本考案の請求項２に記載のキャビネットに操作部を備えた電子機器によれば、請求項１記載のキャビネットに操作部を備えた電子機器において、前記操作ボタンが、前記第１の取付けボス部に固定する取付け部と、前記スイッチを押圧操作する平板矩形状の押圧板と、この押圧板の前面から突出して前記操作パネルの外部に露出する操作突部と、前記押圧板と前記取付け部とを連結するヒンジ部とで構成され、前記取付け部には前記第１の取付けボス部に螺着するためのねじの貫通孔を形成し、その貫通孔と近傍した取付け部の内縁から前記固定ボス部を内側に向かって一体形成するとともに、前記押圧板には前記固定ボス部を避ける切欠き凹部を形成したものであるから、回路基板を固定するための固定ボス部を直接、押圧力が加わる操作突部に可及的に近づけて形成することが可能となり、操作ボタンからの押圧力に対する回路基板の変形をより確実に抑制することが可能となる。
【００２０】
本考案の請求項３に記載のキャビネットに操作部を備えた電子機器によれば、請求項１又は２記載のキャビネットに操作部を備えた電子機器において、前記操作パネル又は前記取付け部の何れか一方に位置決めピンを形成するとともに、該操作パネル又は取付け部の何れか他方に前記位置決めピンと嵌合する位置決め孔を形成したものであるから、操作パネルに形成した第１の取付けボス部に操作ボタンを固定する際、操作パネルに対して操作ボタンを簡単に位置決めできる。
【００２１】
本考案の請求項４に記載のキャビネットに操作部を備えた電子機器によれば、請求項３記載のキャビネットに操作部を備えた電子機器において、前記固定ボス部と第２の取付けボス部とが上下に間隔をおいて直線的に並設され、この固定ボス部と第２の取付けボス部によって前記回路基板の一端両角部をねじ止めすることによって、回路基板の一端外縁が前記操作ボタンの取付け部より外側に張り出すことなく、取付け部の内側に収まるものであるから、スペース的な制約などによって操作ボタンに近接した部位において回路基板の固定箇所を形成できない場合であって、回路基板を確実に固定することが可能となり、電子機器の小型化も可能となる。
【００２２】
本考案の請求項５に記載のキャビネットに操作部を備えた電子機器によれば、請求項２〜４の何れか１項に記載のキャビネットに操作部を備えた電子機器において、前記取付け部に前記回路基板の一部を位置決めする係止手段を一体形成したものであるから、操作パネルに固定した操作ボタンに回路基板を組み付ける際、係止手段によって操作ボタンに対して回路基板を簡単かつ迅速に位置決めすることができる。
【００２３】
本考案の請求項６に記載のキャビネットに操作部を備えた電子機器によれば、請求項５記載のキャビネットに操作部を備えた電子機器において、前記係止手段を、前記取付け部から突設した突出部と、この突出部の内側角部を切り欠いて回路基板の一端角部を位置決めする切欠き部と、回路基板の一端角部を支持する受け面とで構成したものであるから、回路基板の一端角部を操作ボタンに形成する突出部の切欠き部に合わせることによって、操作ボタンに対して回路基板を簡単かつ迅速に位置決めすることができるとともに、回路基板の一端角部を突出部の受け面によって安定的に支持することができる。
【考案を実施するための最良の形態】
【００２４】
以下、本考案の具体的実施例について、添付図面を参照しながら説明する。なお、以下の実施態様は、本考案を具体化する際の一形態であって、本考案をその範囲内に限定するためのものではない。
【実施例１】
【００２５】
図１〜図７は本発明の実施例１を示すものであり、図１は操作ボタンの分解斜視図、図２は正面側から見た操作ボタンの斜視図、図３は背面側から見た操作ボタンの斜視図、図４は操作パネルの背面図、図５は操作ボタンを組み込んだ操作パネルの背面図、図６は操作ボタンと回路基板を組み込んだ操作パネルの背面図、図７は操作ボタンと回路基板を組み込んだ操作パネルの断面図である。同図において、１は特に限定しないがテレビ、ＤＶＤプレーヤ、ハードディスクレコーダ、電話、ＦＡＸ、コピー機などの電子機器、２は電子機器１のキャビネットであり、このキャビネット２の内部に図示しない各種電子部品が固定されるとともに、キャビネット２の前面には、該キャビネット２の前面開口部を塞ぐ操作パネル３が装着されている。この操作パネル３の背面側には、回路基板４に実装するスイッチ５及びそのスイッチ５をキャビネット２の外部から操作するための操作ボタン１５が取付けられている。
【００２６】
前記操作パネル３には、前記操作ボタン１５を貫通させる開口孔６と前記回路基板４に実装された液晶表示部７に対応する表示窓７Ａが形成され、前記操作パネル３の背面側には、図４に示すように前記開口孔６と近接して前記操作ボタン１５を固定する第１のボス部８と前記回路基板４の一端下方角部（図５において図示左縁下方角部）を固定するための第２のボス部９が突設されるとともに、これら第１の取付けボス部８と第２の取付けボス部９と表示窓７Ａを挟んで回路基板４の他端両縁角部（図５において図示右縁上下角部）を固定するための第２の取付けボス部９Ａが突設されている。また、前記開口孔６に近接して突設される第１及び第２の取付けボス部８，９はリブ１０で連結され、このリブ１０に前記操作ボタン１５を位置決めするための複数の位置決めピン１１が突設されている。
【００２７】
前記操作ボタン１５は、前記スイッチ５を押圧操作する平板矩形状の押圧板１６と、この押圧板１６の前面から突出して前記開口孔６から外部に貫通する操作突部１７と、前記第１の取付けボス部８に固定される取付け部１８と、この取付け部１８と前記押圧板１６とを連結する上下一対の薄肉状のヒンジ部１９とで構成されている。また、前記取付け部１８には前記第１の取付けボス部８に螺着するねじ２０の貫通孔２１を備えた嵌合凹部２２及び前記位置決めピン１１と対応する複数の位置決め孔２３が形成されている。さらに、前記取付け部１８の内縁端部には前記貫通孔２１に近接して前記回路基板４の一端上方角部（図５において図示左縁上方角部）を固定するための固定ボス部２５が一体形成されている。この固定ボス部２５は前記操作突部１７を避けて固定ボス部２５の一部が前記押圧板１６に食い込むように内方側に向かって突出され、一方、押圧板１６には、前記固定ボス部２５の先端部に対応する半円状の切欠き凹部２６が形成され、この切欠き凹部２６の内面に臨んで前記固定ボス部２５が配置される。また、前記回路基板４を固定する第２の取付けボス部９，９Ａと固定ボス部２５及び前記操作ボタン１５を固定する第１の取付けボス部８には前記ねじ２０を螺着するためのねじ孔２８がそれぞれ形成されている。
【００２８】
以上のように構成される本実施例の組み付け手順について説明する。まず、操作パネル３の背面側から該操作パネル３に形成する開口孔６に操作ボタン１５の操作突部１７を貫通させながら、操作パネル３の第１の取付けボス部８に前記取付け部１８の固定ボス部２５に形成する嵌合凹部２２を嵌合させ、かつ、前記操作パネル３の位置決めピン１１に取付け部１８の位置決め孔２３を嵌め入れる。これにより、操作パネル３の背面に操作ボタン１５が位置決め保持され、嵌合凹部２２の貫通孔２１と第１の取付けボス部８のねじ孔２８とが位置合わせされる。このように貫通孔２１とねじ孔２８とを位置合わせした状態でねじ２０を貫通孔２１に挿通し、取付けボス部８のねじ孔２８に螺着することによって、操作パネル３の背面側に操作ボタン１５が固定される。これにより、操作ボタン１５に形成する固定ボス部２５と操作パネル３の背面に突設する第２の取付けボス部９とが縦方向に直線的に並び、その固定ボス部２５と第２の取付けボス部９及び表示窓７Ａを挟んで対向する第２の取付けボス部９Ａに回路基板４の四隅を重ね合わせ、回路基板４を介して前記固定ボス部２５と第２の取付けボス部９，９Ａに形成するねじ孔２８にねじ２０を螺着して操作ボタン１５の背面側に回路基板４を固定する。なお、図７（ｂ）に示すように、操作ボタン１５に形成する固定ボス部２５と第２の取付けボス部９，９Ａの高さはそれぞれ同一高さであって、その固定ボス部２５と第２の取付けボス部９，９Ａに回路基板４を固定すると、操作ボタン１５の押圧板１６と回路基板４のスイッチ５とが離間した状態で操作パネル３の背面側に操作ボタン１５と回路基板４とが固定される。これにより、操作パネル３の開口孔６から操作パネル３の外部に突出した操作突部１７を押圧操作すると、ヒンジ部１９が弾性変形して押圧板１６によってスイッチ４のＯＮ／ＯＦＦが切り換えられる。
【００２９】
以上のように、本実施例においては、押圧板１６からの押圧力を受ける回路基板４の一端縁部を操作パネル３に形成する第２の取付けボス部９と、操作パネル３に固定される操作ボタン１５に形成する固定ボス部２５とで確実かつ安定的に固定することができる。これにより、従来のようにスペース的な制約などによって操作ボタン１５に近接した部位において操作パネル３に回路基板４を固定するための取付けボス部９が形成できない場合であっても、操作ボタン１５に形成する固定ボス部２５によって回路基板４を強固に固定することが可能となり、操作ボタン１５から受ける押圧力によって生じる回路基板４の反り曲げや屈曲などの変形を効果的に防止することができる。加えて、回路基板４を固定する固定ボス部２５は、操作ボタン１５を固定するねじ２０と近接し、さらに、ユーザが押圧操作する操作突部１７に可及的に近付けるように、押圧板１６に半円状の切欠き凹部２６を形成し、この切欠き凹部２６に固定ボス部２５を臨ませて取付け部１８の内縁から内方側に向かって突出しているため、操作突部１７から受ける押圧力が最も加わる回路基板４の一端縁部を固定ボス部２５によって安定した状態で支持することができる。また、操作ボタン１５に固定ボス部２５を一体形成することによって、回路基板４の一端縁を操作ボタン１５の外側まで延ばす必要も無いから、電子機器１の小型化も可能となる。さらに、操作ボタン１５に回路基板４を固定するための固定ボス部２５を一体形成することで、操作ボタン１５をコンパクトに一体化でき、組付け部品点数の削減並びに組み付け作業性に優れるものである。
【実施例２】
【００３０】
図８及び図９は本考案の実施例２を示し、図８は操作ボタンと回路基板を組み込んだ操作パネルの背面図、図９は正面側から見た操作ボタンの斜視図である。
【００３１】
なお、本実施例においては、操作ボタン１５に回路基板４を係止めする係止手段３０を備えた点で前記実施例１と異なる以外、前記実施例１の構成と実質同一であるから、前記実施例１と同一機能を有する部分には同一符号を付し、重複する部分の説明については省略する。本実施例においては、操作ボタン１５の取付け部１８の下端部に突出部３１を形成し、この突出部３１の内側角部に前記回路基板４の一端角部を位置決めする切欠き部３２と回路基板４を支持する受け面３３とを形成している。これにより、操作パネル３の背面側に回路基板４を固定する際、図８に示すように、回路基板４の左端下端角部を突出部３１の切欠き部３２に係止めすることによって、回路基板４に形成したねじ２０を通すために挿通孔（図示せず）と固定ボス部２５及び第２の取付けボス部９Ａのねじ孔２８との位置合わせを簡単に行うことができ、組み付け作業をより簡略化でき、作業時間の短縮化も可能となる。
【００３２】
以上、本考案の一実施例を詳述したが、本考案は前記実施例に限定されるものでなく、本考案の要旨の範囲内で種々の変形実施が可能である。例えば、操作パネルやキャビネットの形状などの電子機器の基本的構成や操作ボタンの形状などは前記実施例に限定されるものではなく、適宜選定すればよい。
【図面の簡単な説明】
【００３３】
【図１】本考案の実施例１を示す操作ボタンの分解斜視図である。
【図２】同上、正面側から見た操作ボタンの斜視図である。
【図３】同上、背面側から見た操作ボタンの斜視図である。
【図４】同上、操作パネルの背面図である。
【図５】同上、操作ボタンを組み込んだ操作パネルの背面図である。
【図６】同上、操作ボタンと回路基板を組み込んだ操作パネルの背面図である。
【図７】同上、操作ボタンと回路基板を組み込んだ操作パネルの断面図であり、図７（ａ）は図６のＡ−Ａ線断面図、図７（ｂ）は図６のＢ−Ｂ線断面図、図７（ｃ）は図６のＣ−Ｃ線断面図を示している。
【図８】本考案の実施例２を示す操作ボタンと回路基板を組み込んだ操作パネルの背面図である。
【図９】背面側から見た操作ボタンの斜視図である。
【符号の説明】
【００３４】
１  電子機器
２  キャビネット
３  操作パネル
４  回路基板
５  スイッチ
６  開口孔
８  第１の取付けボス部
９，９Ａ  第２の取付けボス部
１０  リブ
１１  位置決めピン
１５  操作ボタン
１６  押圧板
１７  操作突部
１８  取付け部
１９  ヒンジ部
２０  ねじ
２１  貫通孔
２２  嵌合凹部
２３  位置決め孔
２５  固定ボス部
２６  切欠き凹部
３０  係止手段
３１  突出部
３２  切欠き部
３３  受け面
【図１】
0003121977.tif 000003
【図２】
0003121977.tif 000004
【図３】
0003121977.tif 000005
【図４】
0003121977.tif 000006
【図５】
0003121977.tif 000007
【図６】
0003121977.tif 000008
【図７】
0003121977.tif 000009
【図８】
0003121977.tif 000010
【図９】
0003121977.tif 000011